(57)【要約】      （修正有）【課題】制帽をかぶった状態で蒸れを防止し、涼しくかぶることを可能とするものであり、通気性と水分吸収性を有する汗取りシートの提供を目的とし、更には、頭髪につけた整髪剤や頭全体から発生した汗を制帽内部に付着しにくくし、仮についた場合には簡単に取り外して洗える汗取りシートの提供。【解決手段】制帽内に着脱自在に装着する汗取りシートであって、該汗取りシート本体と制帽に装着して係止する接続部とからなる汗取りシートであり、該汗取りシート本体は、少なくとも通気性及び／又は吸水性を有する素材よりなるシートからなり、接続部は制帽における襠と天井とを縫製する部分の内周に挿入して天井の形状を保持する保形芯に着脱自在に装着する接続部からなる制帽の汗取りシートを提供する。【選択図】図１
0003116478.tif 000002
【実用新案登録請求の範囲】
【請求項１】
制帽内に着脱自在に装着する汗取りシート３であって、該汗取りシート本体３０と制帽に装着して係止する接続部３３とからなる汗取りシートであり、
該汗取りシート本体３０は、少なくとも通気性及び／又は吸水性を有する素材よりなるシートからなり、
接続部３３は制帽１における襠と天井とを縫製する部分の内周に挿入して前記天井の形状を保持する保形芯２に着脱自在に装着する接続部３３からなることを特徴とする制帽の汗取りシート。
【請求項２】
該汗取りシート本体３０は複数層の異なる素材からなるシートを積層して構成し、
少なくとも頭皮に面する方向のシート３１は、吸水性の高い素材からなるシート３１を配置し、
制帽の天井方向に面する方向のシート３２は、通気性の高い素材からなるシート３２を配置したことを特徴とする請求項１記載の制帽の汗取りシート。
【請求項３】
接続部３３は汗取りシート本体３０の外周縁部３４に突出形成した舌片状の接続部からなり、その一面に面ファスナー３３０を有して、保形芯２に巻回して着脱自在に装着できる接続部３３よりなることを特徴とする請求項１記載の制帽の汗取りシート。
【請求項４】
接続部３３が、汗取りシート本体３０の外周縁部に均等間隔で四箇所配設され、該四箇所で保形芯２に着脱自在に装着するものであることを特徴する請求項１及び３のいずれかに記載の制帽の汗取りシート。
【考案の詳細な説明】
【技術分野】
【０００１】
本考案は、警察官、消防官、自衛官、交通機関である電車やバス等の乗務員等がかぶる制帽において、装着時の制帽内の蒸れを防止すると共に整髪剤や汗等が制帽に付着しない着脱可能な通気性を有する汗取りシートに関する。
【背景技術】
【０００２】
従来より、制帽に関しては、保形性及び装着時の外観を重要視することからきっちりと装着することが必要であり、どうしても制帽内が蒸れてしまうことが生じていた。
【０００３】
このことを防止するために制帽に通気性を有する生地を用いることが行われるが、制帽の保形性及び外観上の観点などからしっかりとした生地を用いることが要求され、通気性を付与するために別途何らかの方策が望まれていた。
【０００４】
更には、蒸れ等によりどうしても汗をかくこととなり、この汗が帽子内部に付着して制帽を汚してしまうこととなっていた。
併せて、頭髪につけた整髪剤等が制帽内部に付着しやすいものであり、どうしても内部が汚れてしまうこととなっていた。
【０００５】
この場合、制帽はその保形性から帽子自体を洗うことは難しく、汚れ等を落とす場合にはぬらした布等で制帽内部を拭くことにより清潔性を保つことが行われている。
特に一般的な帽子の汗取りとしては、例えば特開２００１‐１１５３２６（特許文献１）及び特開２００１‐７３２２１（特許文献２）がある。
【０００６】
この二件の先行例に示す構成は双方共に汗取り帯を帽子本体の下端内面縁部に沿って縫着したものである。
従って、帽子を装着した段階で丁度額にあたる部分の頭部の帯状外周部分については汗取りとして機能する。
【０００７】
又、汗取り帯は縫着していると共に、弾性織布で構成されていることから側頭部外周に対して帽子が密着することとなり、装着性を高めるものとなっている。
【特許文献１】特開２００１‐１１５３２６
【特許文献２】特開２００１‐７３２２１
【考案の開示】
【考案が解決しようとする課題】
【０００８】
以上の様に、帽子をかぶった状態で汗取りを行うことに関しては前記の特許文献が存在する。
【０００９】
しかし、この特許文献は共に丁度額にあたる部分の頭部の帯状外周部分について汗取りを行うものであり、頭部頭頂部方向に関してはなんらの汗取りもないものであり、更には頭髪につけた整髪剤等の帽子内部への付着に関してはなんらこの汗取り帯によっては防ぐことはできないものである。
【００１０】
更には帽子内部の蒸れを防止することもできないものである。
特に制帽にあっては、身分を表す場合にも多々使用されることから、きっちりと被ることが要求されると共に清潔性を保つことが極めて重要となる。
【００１１】
かかる場合、まず制帽をかぶった状態で蒸れを防止し、涼しくかぶることを可能とすることが望まれる。
即ち通気性と水分吸収性を有することが望まれるものである。
【００１２】
更には、頭髪につけた整髪剤や頭全体から発生した汗を制帽内部に付着しにくくし、仮についた場合には簡単に取り外して洗える何らかの汗取りシートが望まれているものである。
【課題を解決するための手段】
【００１３】
本考案は、前記各課題を見事に解決するものであり、かかるために請求項１に記載の考案は、制帽内に着脱自在に装着する汗取りシートであって、該汗取りシート本体と制帽に装着して係止する接続部とからなる汗取りシートであり、該汗取りシート本体は、少なくとも通気性及び／又は吸水性を有する素材よりなるシートからなり、接続部は制帽における襠と天井とを縫製する部分の内周に挿入して前記天井の形状を保持する保形芯に着脱自在に装着する接続部からなる制帽の汗取りシートよりなり、係る考案によって前記課題を解決できる。
【００１４】
この場合、請求項２に記載の考案である該汗取りシート本体は複数層の異なる素材からなるシートを積層して構成し、少なくとも頭皮に面する方向のシートは、吸水性の高い素材からなるシートを配置し、制帽の天井方向に面する方向のシートは、通気性の高い素材からなるシートを配置した制帽の汗取りシートを用いることにより、更に快適な制帽の汗取りシートを提供できる。
【００１５】
又、請求項３に係る考案のように、接続部が、汗取りシート本体の外周縁部に突出形成した舌片状の接続部からなり、その一面に面ファスナーを有して、保形芯に巻回して着脱自在に装着できる接続部よりなる制帽の汗取りシートであってもよく、或いは請求項４に係る考案である接続部が汗取りシート本体の外周縁部に均等間隔で四箇所配設され、該四箇所で保形芯に着脱自在に装着する制帽の汗取りシートを用いてもよい。
【考案の効果】
【００１６】
係る構成よりなる制帽の汗取りシートを用いることにより、制帽内に通気性及び／又は吸水性の高い素材からなるシートを頭頂部と制帽の天井との間に配設でき、頭部の通気性を保つことができ蒸れを防止できると共に、汗や湿気を汗取りシートに吸着させた上で蒸発を促すことができる。
【００１７】
従って、制帽内を快適にできると共に頭への肌触りをよくでき、快適に制帽を被ることができる。
更には、着脱自在なシートを用いることができることから、取り外して任意にかつ簡単に洗濯できることとなり、いつでも清潔にかつ快適に制帽を被ることができる。
【００１８】
従って、汗や整髪剤で汚れた場合には一般的には洗えない制帽に代え、最も汚れを集めたシートを取り外して洗濯できることとなる。
以上のように、制帽をいつでも快適にかつ毅然と被ることができると共に、いつでも清潔に保つことができるという極めて有意義なかつ多大な効果を有するものである。
【考案を実施するための最良の形態】
【００１９】
図１は、本考案に係る制帽に着脱可能な通気性を有する汗取りシートの装着状態の一例を示す図であり、制帽１の天井部１０の保形芯２に着脱自在に装着された状態の汗取りシート３である。
【００２０】
保形芯２は、制帽１の天井部１０の保形を図るためのものであり、例えば制帽における襠と天井とを縫製する部分の内周に挿入して前記天井の形状を保持する保形芯であって、該汗取りシート３は計四箇所の接続部３３で該保形芯２に接続されている。
【００２１】
該汗取りシート３は、略円形形状よりなり該接続部３３が外周縁部３４に均等の間隔をあけて四箇所設けられており、又シート本体３０は通気性及び吸水性の高い素材より構成されているものである。
【００２２】
例えば特殊形状のヤーンや特殊な織編み構成を用い、微細な空間を多数有することにより毛細管現象によって吸い上げた上で多数の空間での蒸発を促し、吸水性と通気性の高い素材によるシートの提供を図れる。
【００２３】
或いは、親水基を持つ繊維を用いてもよく、或いは吸水シート等や通気性を有するシート等を用い、或いは複数層によって吸水と通気を確保したものなどであってもよい。
従って、この様なシート３よりなることから制帽１内で、頭から出た汗や蒸気を効率的に吸水或いは通気を行い、制帽１内の蒸れを防止できる。
【００２４】
特に制帽１に関しては、身分をあらわす場合や公式の場所等で被ることが多々あり、制帽１自体の作りもしっかりしていること及び厚手の生地などを使う場合が多いなどにより、どうしても蒸れてしまうものであるが、本考案に係るシート３を用いることによりシート３と制帽１の天井部１０との間に空間ができることとなるばかりでなく、シート３が吸水性及び通気性を保てることに伴い、制帽１内を快適にすることができ、蒸れ難くした上で吸着した水分を揮発しやすくし、気化熱で爽快感を生じさせると共に、頭部に接するシート部分をドライに保てるものとなる。
従って、極めて快適な装着感を有する制帽の提供を可能とする。
【００２５】
更に、前記のように接続部３３によって制帽１の例えば保形芯２に四箇所で止まっているものであって、この接続部３３を用いて保形芯２からシート３を取り外すことにより、シート３部分のみを制帽１から取り外せるものであり、シート３の洗濯などができる。
【００２６】
従って、汗まみれになった場合だけでなく、頭部の整髪剤は、制帽１ではなくシート３に付着することとなり、制帽１の汚れを防げると共にこのシート３を自由に取り外して必要に応じて選択することによりいつでも清潔なシート３を装着でき、爽快で快適な装着感を有する制帽の提供ができる。
【００２７】
尚、保形芯２の一例としては、本考案者が先に考案した登録実用新案第３０２２６２０号があり、この保形芯４に用いると最適である。
図２は、図１に示す装着状態のシート３を取り外した状態を示す図である。
本図に示すように、汗取りシート３には中央部のシート本体３０及び制帽１との着脱自在の連接を図るための接続部３３とからなる。
【００２８】
本図構成は、シート本体３０の一面が吸水性の高い素材からなるシート３１からなり、他面が通気性の高い素材からなるシート３２により構成される二層の材質の異なるシートを積層させて構成した一例を示す。
【００２９】
吸水性の高い素材からなるシート３１を頭部方向に、通気性の高い素材からなるシート３２を制帽１の天井１０方向に位置させて配設することにより、頭部から発せられる汗等は吸水性の高いシート３１に吸収され、更に通気性の高いシート３２側から水分が蒸発されることとなり、極めて有効に水分を蒸発させることができる。
尚、そもそも通気性と吸水性の双方の効果の高い位置の汗取りシート３を用いてももちろんよいものである。
【００３０】
本図に示す構成は、肌に触れるほうは吸水性の効果を高く有する素材とし、肌に触れない方向においては、吸水した水分が天井側につかないように他の素材を介在されるものであって、通気性の高い素材からなるシートを用いればより効果的に水分の蒸発を促せ、かつ制帽内の蒸れを防止できることとなる。
【００３１】
次に制帽１に着脱自在の装着するための接続部３３は、該汗取りシート本体３０の外周縁部３４に突出形成した接続部３３の一面に設けた面ファスナー３３０により構成されており、突出形成した舌片状の接続部３３を巻回した上で該面ファスナー３３０を用いて係止することにより接続するものである。
【００３２】
従って、簡単に装着できると共に、その取り外しも簡単に行える。
尚、該接続部３３は汗取りシート本体３０の外周縁部３４に均等間隔に四箇所設けているものであり、この構成が最もきっちりと装着できるものである。
【００３３】
但し、この構成に限定されるものではなく、外周縁部３４に等間隔に三箇所あるいは二箇所設けた構成であっても、或いは四箇所以上も受けた構成であってもよく、更には、外周縁部３４に均等間隔でなく任意間隔で設けたものであってもよい。
【００３４】
尚、接続部３３の一例として面ファスナー３３０を示すがこの構成に限らず、紐状部材からなる接続部を有し、この紐を任意の結び形式で結ぶことによって接続して装着するものであってもよく、又は別途係止部材例えば公知のスナップやボタン等を用いて接続部を構成するものであってもよい。
【００３５】
図３は、制帽１内の保形芯２に本考案に係る汗取りシート３を装着した状態を示す図である。
本図に示すように制帽１内において汗取りシート３を着脱自在に装着でき、制帽１内の蒸れを防止できると共に汗や整髪剤がついた場合にも該シート３によって汚れを付着させ、該シート３を取り外して洗濯などすることができることとなる。
【００３６】
従って、洗濯等によっていつでも清潔に保てるばかりでなく、制帽内の汗や蒸れを有効に蒸発させてドライ状態に保つことができ、快適に制帽を被ることができる。
【図面の簡単な説明】
【００３７】
【図１】本考案に係る制帽に着脱可能な通気性を有する汗取りシートの装着状態の一例を示す図
【図２】図１に示す装着状態のシートを取り外した状態を示す図
【図３】制帽内の保形芯に本考案に係る汗取りシートを装着した状態を示す図
【符号の説明】
【００３８】
１        制帽
１０      天井部
２        保形芯
３        汗取りシート
３０      シート本体
３１      シート
３２      シート
３３      接続部
３３０    面ファスナー
３４      外周縁部
【図１】
0003116478.tif 000003
【図２】
0003116478.tif 000004
【図３】
0003116478.tif 000005